(57)【特許請求の範囲】
【請求項１】
本体内に構成されて商品を陳列する陳列室の少なくとも一側が開口しており、該開口を側面扉により開閉自在に閉塞して成るショーケースにおいて、
前記陳列室の上面に形成された上面開口と、
該上面開口を塞ぐかたちで前記本体に載置された二つ折り式の上面扉とを備え、
前記陳列室は前後が開口しており、前記側面扉は当該前面開口及び後面開口を閉塞するようそれぞれ設けられると共に、
前記上面扉は、蝶番にて連結された二枚の扉板から成り、前記蝶番の軸が前後方向に指向するよう載置されており、
前記各扉板の非蝶番側の上面にそれぞれ形成され、両扉板が重合した場合に対向する扉側凹部と、前記各扉板の扉側凹部に対応する位置の前記上面開口縁にそれぞれ形成された本体側凹部と、前記各扉板の非蝶番側の上面の隅部にそれぞれ形成された突起とを備え、
前記両扉板が重合した場合に上側となる前記扉板の突起は下側となる前記扉板の突起に当接し、その状態で両扉板は略平行となることを特徴とするショーケース。
【請求項２】
前記陳列室内に架設された棚を備え、
前記陳列室の底面は前方に低く傾斜しており、前記棚は略水平に架設されていることを特徴とする請求項１に記載のショーケース。
【請求項３】
前記陳列室の底面一側に形成された冷気吹出口、及び、他側に形成された冷気吸込口を備え、
前記上面開口は、前記冷気吹出口及び冷気吸込口の上方に対応する部分より内側に位置して前記陳列室の上面に形成されていることを特徴とする請求項１又は請求項２に記載のショーケース。
【発明の詳細な説明】
【技術分野】
【０００１】
本発明は、本体内に構成された陳列室を側面扉により開閉自在に閉塞するショーケースに関する。
【背景技術】
【０００２】
従来より、スーパーマーケットやコンビニエンスストアその他の店舗等では、陳列室内に飲料や食品等の商品を陳列し、陳列室室内に冷気を循環させて低温とすることにより、商品を冷却しながら陳列する低温ショーケースなどが採用されている。特に、レジなどのカウンターには、陳列室の前面と左右面を含む三面、或いは、周囲四面を透明ガラス等の透明壁にて構成し、外部から商品が視認できるようにして販売効果を向上させている（例えば、特許文献１参照）。
【０００３】
この際、陳列室の前面及び後面にそれぞれ透明扉を設け、例えば、カウンターを挟んで、ショーケースの前面から顧客が前面扉を開閉し、ショーケースの後面から店員が後面扉を開閉して商品の納出作業を行っている。
【先行技術文献】
【特許文献】
【０００４】
【特許文献１】特開２００８−２５８８８号公報
【発明の概要】
【発明が解決しようとする課題】
【０００５】
しかしながら、前後の扉を開放して行う商品の取り出し作業では、商品がペットボトル等の容器入りの飲料である場合、各商品の側面を把持して取り出しを行うため、一度に多数の取り出すことができないという問題がある。特に、高さ寸法の小さい商品を多数取り出す際であっても、何度も陳列室内から取り出し作業を行わなければならず、作業効率が悪いという問題があった。
【０００６】
そこで、本発明は、従来の技術的課題を解決するために成されたものであり、陳列室内から一度に多くの商品の納出作業を行うことを可能とし、利便性の向上を図ることができるショーケースを提供する。
【課題を解決するための手段】
【０００７】
上記課題を解決するために、本発明のショーケースは、本体内に構成されて商品を陳列する陳列室の少なくとも一側が開口しており、該開口を側面扉により開閉自在に閉塞して成るものであって、陳列室の上面に形成された上面開口と、該上面開口を塞ぐかたちで本体に載置された二つ折り式の上面扉とを備え、陳列室は前後が開口しており、側面扉は当該前面開口及び後面開口を閉塞するようそれぞれ設けられると共に、上面扉は、蝶番にて連結された二枚の扉板から成り、蝶番の軸が前後方向に指向するよう載置されており、各扉板の非蝶番側の上面にそれぞれ形成され、両扉板が重合した場合に対向する扉側凹部と、各扉板の扉側凹部に対応する位置の上面開口縁にそれぞれ形成された本体側凹部と、各扉板の非蝶番側の上面の隅部にそれぞれ形成された突起とを備え、両扉板が重合した場合に上側となる扉板の突起は下側となる扉板の突起に当接し、その状態で両扉板は略平行となることを特徴とする。
【０００８】
請求項２の発明は、請求項１の発明において、陳列室内に架設された棚を備え、陳列室の底面は前方に低く傾斜しており、棚は略水平に架設されていることを特徴とする。
【０００９】
請求項３の発明は、上記各発明において、陳列室の底面一側に形成された冷気吹出口、及び、他側に形成された冷気吸込口を備え、上面開口は、冷気吹出口及び冷気吸込口の上方に対応する部分より内側に位置して陳列室の上面に形成されていることを特徴とする。
【発明の効果】
【００１０】
本発明によれば、本体内に構成されて商品を陳列する陳列室の少なくとも一側が開口しており、該開口を側面扉により開閉自在に閉塞して成るショーケースにおいて、陳列室の上面に形成された上面開口と、該上面開口を塞ぐかたちで本体に載置された二つ折り式の上面扉とを備えたので、側面扉の開放以外にも、上面扉を開放することにより、陳列室内に陳列された商品の納出作業を行うことができるようになる。
【００１１】
そのため、ショーケースが設置された状況によって、側面扉を大きく開放できない場合があるが、このような場合であっても、上面扉を開放することにより、陳列室内の商品を支障なく取り出すことが可能となる。
【００１２】
特に、設置された状態のショーケースの高さ寸法が、使用者の胸部の高さよりも低い場合等、上下の高さ寸法が小さい場合には、上面扉を開放し、上面開口から手を差し入れて、商品上部を持って多数の商品を一度に上方から取り出すことが可能となる。
【００１３】
また、二つ折り式の上面扉を上面開口を塞ぐかたちで本体に載置することで上面扉を設けたので、簡素な構成にて上面扉を設けることができ、コストの低減を図ることができる。
【００１４】
また、陳列室は前後が開口しており、側面扉は当該前面開口及び後面開口を閉塞するようそれぞれ設けられると共に、上面扉は、蝶番にて連結された二枚の扉板から成り、蝶番の軸が前後方向に指向するよう載置されることにより、二つ折り式の上面扉を蝶番の軸を中心として左右に折り畳んで開放することが可能となる。
【００１５】
そのため、上面開口はそれぞれ一側の扉板を開放することで当該一側の前後全域を開放することができるため、ショーケースの前面側からも後面扉側からも奥側に位置する商品を取り出しやすくなる。即ち、取り出そうとする商品が載置されている側の扉板を開放することで、後面扉側からは陳列室前部にある商品を、前面扉側からは陳列室後部にある商品を支障なく取り出すことが可能なる。従って、側面扉を開放することでは、手前側に載置されている商品によって取り出しが困難となる、若しくは、挿入距離が長くなってしまうことで取り出しが困難となる奥側の商品を支障なく、且つ、一度に多数取り出すことが可能となる。
【００１６】
また、各扉板の非蝶番側の上面にそれぞれ形成され、両扉板が重合した場合に対向する扉側凹部と、各扉板の扉側凹部に対応する位置の上面開口縁にそれぞれ形成された本体側凹部とを備えたことにより、本体側凹部より扉板の側部に手指をかけて蝶番の軸を中心として回動させることで上面扉を容易に開放することができる。
【００１７】
開放された側の扉板は、他方の扉板上方に折り畳まれることとなるが、この際、両扉板には、開放時に手指がかけられる本体側凹部に対応する位置に扉側凹部が形成されており、各扉板の扉側凹部は、重合した場合に対向する位置とされているため、かけられた手指は、扉板の重合時に対向するこれら扉側凹部内に退避させることができる。従って、開放動作の際に手指が扉板間に挟まれてしまう不都合を解消することができる。
【００１８】
また、各扉板の非蝶番側の上面の隅部にそれぞれ形成された突起を備え、両扉板が重合した場合に上側となる扉板の突起は下側となる扉板の突起に当接し、その状態で両扉板は略平行となることにより、上面扉を開いて二つ折りにしたときに、開放した方の裏面が水平となる。これにより、陳列室内から取り出した商品等を開放された扉板の裏面上に載置することができる。これにより、商品の納出作業性を向上させることができる。また、突起が設けられていない部分には、指が入るスペースが形成されることとなるため、扉開閉を容易に行うことができると共に、係るスペースから指を挿入して扉開閉を行うことで、指の挟み込みを防止することができる。
【００１９】
請求項２の発明によれば、請求項１の発明に加えて、陳列室内に架設された棚を備え、陳列室の底面は前方に低く傾斜しており、棚は略水平に架設されていることにより、陳列室の底面に陳列された商品を自重により前方に摺動させることができる。これにより、前面開口から商品を取り出した際、商品を自重によって前出しすることができ、商品陳列の向上をさせることができる。
【００２０】
また、棚上に陳列された商品は、上面扉を開放することで上面開口より容易に取り出すことができる。
【００２１】
請求項３の発明によれば、上記各発明に加えて、陳列室の底面一側に形成された冷気吹出口、及び、他側に形成された冷気吸込口を備え、上面開口は、冷気吹出口及び冷気吸込口の上方に対応する部分より内側に位置して陳列室の上面に形成されているので、上面扉を開放しても、冷気吹出口及び冷気吸込口の上方に対応する位置の上面が開口していないため、直接冷気が吹き出されて外部に漏出してしまう不都合を回避することができる。これにより、冷却効率の低下を抑制することができる。
【図面の簡単な説明】
【００２２】
【図１】本実施例に係るショーケースの斜視図である。
【図２】図１のショーケースの縦断側面図である。
【図３】図１のショーケースの平面図である。
【図４】図１のショーケースの分解斜視図である。
【図５】図１のショーケースの上部扉の開放状態を示す図である。
【図６】課題解決前のショーケースの斜視図である。
【発明を実施するための形態】
【００２３】
以下、本発明の実施の形態について、図面を参照して詳細に説明する。図１は本実施例に係るショーケース１の斜視図、図２は図１のショーケース１の縦断側面図、図３は図１のショーケース１の平面図、図４は図１のショーケース１の分解斜視図、図５は図１のショーケース１の上部扉３５の開放状態を示す図をそれぞれ示している。
【００２４】
本実施例におけるショーケース１は、陳列室３の周囲四面が透明二重ガラスから構成された透明壁４・・にて囲繞された所謂卓上型のショーケースであり、レジなどのカウンターに載置される。ショーケース１は、発泡ポリウレタンからなる容器状の断熱壁６と、この断熱壁６の周囲及び断熱壁６下方に構成される機械室２内を被覆する硬質合成樹脂製の下部パネル７と、この下部パネル７の四隅に立設された左右側面の前記透明壁４、４等から本体１１が構成されている。左右側面の透明壁４、４内側の断熱壁６上には、これも硬質合成樹脂からなる底板１２が取り付けられ、これら底板１２と天板（上面）９及び左右の透明壁４、４間の本体１１内に陳列室３が構成されている。尚、陳列室３の上面を構成する天板９には、詳細は後述する如き上面扉３５が設けられている。
【００２５】
陳列室３の一側面をそれぞれ構成する前面と後面は開口しており、前面開口１３は側面扉としての前面扉１５にて開閉自在に閉塞され、後面開口１４は側面扉としての後面扉１６にて開閉自在に閉塞される。各扉１５、１６は内部を透視可能とする透明扉にて構成されている。そして、各扉１５、１６は、それぞれその上下を、本体１１を構成する天板９と底枠１２の一側（この場合、前面から向かって右側。後面から向かって左側。）を中心として回動自在に枢支されて取り付けられている。
【００２６】
ここで、本実施例では、陳列室３の底面となる底板１２は、後端から前端に渡って前方に低く傾斜して構成されており、これに応じて下部パネル７の上縁及び各透明壁４、４下縁が傾斜して形成されている。そのため、当該透明壁４、４にて形成される前後の開口は、前面開口１３が、後面開口１４よりも下方に延在して形成され、これにより、前面開口１３は、後面開口１４よりも大きく開口して形成される。これに対応し、前面開口１３を閉塞する前面扉１５の下端は、後面開口１４を閉塞する後面扉１６の下端よりも下方に延在して構成される。
【００２７】
また、断熱壁６の下側には陳列室３の下方に位置して機械室２が構成されている。この機械室２内には冷却ユニットＲの冷媒回路を構成する圧縮機１８、凝縮器１９と、これらを冷却するための凝縮器用送風機２０が設置されている。下部パネル７には、外気を吸い込むための外気吸込口２１が形成されている。
【００２８】
一方、断熱壁６内には冷却室２４が構成されており、この冷却室２４内には前記圧縮機１８等と共に冷却ユニットＲの冷媒回路を構成する図示しない蒸発器と、冷却用送風機２５が収納されている。この冷却室２４内底部には、図示しない排水経路が形成され、蒸発器からのドレン水を排水処理する蒸発皿へと連通させている。
【００２９】
ショーケース１を正面（前面）からみて右側（一側）の底板１２には、陳列室３の底面に位置して冷気吹出口２７が前後に渡り形成されており、左側（他側）の底面１２には、陳列室３内の底面に位置して冷気吸込口２８が前後に渡り形成されている。陳列室３の一側の底面１２には、冷気吹出口２７に対応して透明壁４と陳列室３側とを区画する仕切板２９が所定の高さ（本実施例では、陳列室３の中程の高さ）にまで立設されている。冷気吹出口２７は、冷却用送風機２５の吹出側の冷却室２４内に連通しており、冷気吸込口２８は、前記蒸発器の冷気流入側の冷却室２４内に連通している。
【００３０】
また、陳列室３の四隅には、上下に渡って間隔を存して複数の係合孔３１が形成された支柱３０が立設されている。この支柱３０の係合孔２１には、係脱自在に棚（網棚）３２が略水平に架設されている。
【００３１】
次に、上述した如き陳列室３の上面を構成する天板９及び上面扉３５の構成について説明する。本実施例における天板９には、上面開口３６が形成されている。この上面開口３６は、陳列室３の一側に形成される上記冷気吹出口２７及び陳列室３の他側に形成される上記冷気吸込口２８の上方に対応する部分より内側に位置するように天板９に形成されている。
【００３２】
この上面開口３６の開口縁は、階段状とされた段差部３６Ａとされており、この段差部３６Ａ上面（本体１１）には、上面開口３６を塞ぐかたちで上面扉３５が備えられている。上面扉３５は、蝶番３７、３７にて連結された二枚の扉板３８、３８から成る二つ折り式の扉にて構成される。即ち、蝶番３７、３７の軸３７Ａを中心として各扉板３８、３８は、上方に回動自在とされて、開放された側の扉板３８が、閉塞側の扉板３８上に重ね合わされることで、片側ずつ扉板３８が開放可能とされる。
【００３３】
扉板３８は、内部を透視可能とする透明板４１と当該透明板４１を囲繞する扉板枠４２とから構成されている。そして、この蝶番３７、３７の軸３７Ａがショーケース１の前後方向に指向するように、上面扉３５が天板９の上面開口３６縁の段差部３６Ａ上に載置されている。この上面扉３５が段差部３６Ａ上に載置された状態で、該上面扉３５の上面は、天板９の上面と略面一とされる。
【００３４】
また、この上面扉３５の各扉板３８、本実施例では扉板枠４２の非蝶番側の上面には、端部から所定寸法切り欠かれた扉側凹部４３がそれぞれ形成されている。各扉板３８に形成される扉側凹部４３は、両扉板３８、３８が重合した場合（図５の状態）に対向する位置に形成されている。
【００３５】
そして、各扉板３８の扉側凹部４３に対応する位置の上面開口３６縁には、天板９の上面から段差部３６Ａの上面に渡って所定寸法切り欠かれた本体側凹部４４、４４がそれぞれ形成されている。
【００３６】
更に、各扉板３８、本実施例では扉板枠４２の非蝶番側の上面には、該扉板枠４２上面よりも上方に所定寸法突出した突起４５が形成されている。本実施例では、非蝶番側の隅部に形成されている。各突起４５は、一方の扉板３８が開放されて他方の扉板３８上に重合した場合（両扉板３８が重合した場合）に、上側となる扉板３８の突起４５は、下側となる扉板３８の突起４５に当接する位置に形成されている。
【００３７】
係る両突起４５を重合させた高さ寸法は、両扉板３８を連結する蝶番３７、特に蝶番の軸３７Ａによって両扉板３８が重合された際に蝶番３７側の両扉板３８間に形成される高さ寸法と略同一とされている。そのため、両扉板３８が重合された状態で、係る両突起４５が当接することで、両扉板３８は、蝶番３７側と非蝶番側との高さ寸法が同一となり、上側となる扉板３８と下側となる扉板３８は略平行とされる。
【００３８】
以上の構成により、冷却ユニットＲが運転されると、冷却室２４内にて冷却された冷気は、ショーケース１の一側に形成された冷気吹出口２７から吐出されて、透明壁４と仕切板２９との間に形成された冷気ダクト内を吹き上げられて、陳列室３上部に吐出される。そして、陳列室３内を循環した冷気は、ショーケース１の他側に形成された冷気吸込口２８より冷却室２４内に吸い込まれる循環を行う。これにより、陳列室３内が所定の冷却温度に冷却される。
【００３９】
この際、本実施例では、陳列室３の上面に上面扉３５を備えた上面開口３６が形成されているが、当該上面開口３６は、冷気吹出口２７及び冷気吸込口２８の上方に対応する部分より内側に位置して陳列室３の上面に形成されているので、上面扉３５を開放しても、冷気吹出口２７及び冷気吸込口２８の上方に対応する位置の上面が開口していないため、直接冷気が吹き出されて外部に漏出してしまう不都合を回避することができる。これにより、冷却効率の低下を抑制することができる。
【００４０】
一方、上述したように陳列室３内には、棚３２が略水平に架設されているため、当該棚３２上に容器入りの飲料等の商品を略水平に陳列することができると共に、陳列室３の底面を構成する底板１２上にも商品を陳列することができる。
【００４１】
本実施例では、陳列室３の前面及び後面が開口し、それぞれ前面扉１５や後面扉１６にて開閉自在に閉塞されているため、各扉１５、１６の開閉によって棚３２上や底板１２上に商品を納出することができる。そのため、ショーケース１を挟んで前側に位置する顧客等は、前面扉１５を開放することにより陳列室３内の商品を取り出すことができると共に、後側に位置する店員等は、後面扉１６を開放することで、陳列室３内への商品の納出作業を行うことができる。
【００４２】
この際、当該底板１２は、前方に低く傾斜して構成されているため、陳列室３の前側から商品が取り出された際に、底板１２上に載置された商品は自重により前方に摺動する。そのため、底板１２上に陳列された商品は、自重によって前出しされ、商品陳列の向上を図ることができる。これにより、店員等は、商品を陳列室３の前面に沿って並べる前出し作業を簡素化することができる。
【００４３】
また、本実施例では、陳列室３の上面を構成する天板９に上面扉３５が設けられているため、棚３２上に陳列された商品は、前面扉１５や後面扉１６を開放する以外にも、上面扉３５を開放することによっても、上面開口３６から納出作業を容易に行うことができる。
【００４４】
そのため、ショーケース１が設置された状況によって、前面扉１５や後面扉１６を大きく開放できない場合でも、上面扉３５を開放することにより、陳列室３内の棚３２上の商品を支障なく取り出すことが可能となる。
【００４５】
特に、設置された状態のショーケース１の高さ寸法が、使用者の胸部の高さよりも低い場合等、上下の高さ寸法が小さい場合には、上面扉３５を開放し、上面開口３６から手を差し入れて、商品上部を持って（容器入り飲料の場合、上部に形成されたくびれ部分に手指をかけて）多数の商品を一度に上方から取り出すことが可能となる。
【００４６】
また、この上面扉３５は、二枚の扉板３８、３８を蝶番３７にて連結された二つ折り式の上面扉にて構成されており、これを上面開口３６を塞ぐかたちで本体１１に載置することで設けられているため、簡素な構成にて上面扉３５を設けることができ、コストの低減を図ることができる。
【００４７】
この際、上面扉３５は、顧客又は店員等が位置する陳列室３の前方、及び後方に対して、蝶番３７の軸が前後方向に指向するように載置されているため、顧客又は店員等は、蝶番３７の軸を中心として左右に回動させて折り畳むことで開放することが可能となる。
【００４８】
そのため、上面開口３６はそれぞれ一側の扉板３８を回動させて開放することで当該一側の前後全域を開放することができるため、ショーケース１の前面扉１５側からも後面扉１６側からも奥側に位置する商品を取り出しやすくなる。即ち、取り出そうとする商品が載置されている側の扉板３８を開放することで、後面扉１６側からは陳列室３前部にある商品を、前面扉１５側からは陳列室３後部にある商品を支障なく取り出すことが可能なる。従って、前後の扉１５、１６を開放することでは、手前側に載置されている商品によって取り出しが困難となる、若しくは、挿入距離が長くなってしまうことで取り出しが困難となる奥側の商品を支障なく、且つ、一度に多数取り出すことが可能となる。
【００４９】
更に、本実施例では、天板９の上面開口３６縁に本体側凹部４４が形成されているため、扉板３８の側部に手指をかけて蝶番３７の軸を中心として回動させることで上面扉３５を容易に開放することができる。このとき、開放された側の扉板３８は、図５に示すように他方の扉板３８上方に折り畳まれることとなるが、この際、本実施例の如く各扉板３８に扉側凹部４３が形成されていない場合、開放時に扉板３８にかけられた手指は、他方の扉板３８上に重ねられた状態で、これら扉板３８間に挟まれてしまうこととなる。勢いよく扉を開閉した際、手指を損傷してしまうおそれがある。
【００５０】
これに対し、本実施例では、両扉板３８、３８には、開放時に手指がかけられる本体側凹部４４に対応する位置に扉側凹部４３が形成されており、各扉板３８の扉側凹部４３は、重合した場合に対向する位置とされているため、かけられた手指は、扉板３８の重合時に対向するこれら扉側凹部４３、４３内に退避させることができる。従って、開放動作の際に手指が扉板３８、３８間に挟まれてしまう不都合を解消することができる。
【００５１】
また、本実施例では、各扉板３８の非蝶番側の上面に突起４５が形成され、両扉板３８が重合した場合に上側となる扉板３８の突起４５は下側となる扉板３８の突起４５に当接し、その状態で両扉板３８は略平行となる。扉板３８の非蝶番側の上面に突起４５が形成されていない場合には、図６に示すように、扉の折りたたみ時に各扉板３８の蝶番３７側が非蝶番側に比べて蝶番３７の軸３７Ａの高さ分だけ高くなり、開放した方の扉板３８の裏面が非蝶番側に向けて低く傾斜してしまう。
【００５２】
これに対し、本実施例では各扉板３８の非蝶番側の上面に突起４５が形成されているため、上面扉３５を開いて二つ折りにしたときに、開放した方の裏面が水平となる。これにより、陳列室３内から取り出した商品等を開放された扉板３８の裏面上に載置しても、商品が非蝶番側に滑落してしまう不都合を回避することができる。これにより、商品の納出作業性を向上させることができる。
【００５３】
また、突起４５が設けられていない部分には、指が入るスペースが形成されることとなるため、扉３５開閉を容易に行うことができると共に、係るスペースから指を挿入して扉３５開閉を行うことで、指の挟み込みを防止することができる。
【００５４】
尚、これ以外にも、何れか一方の扉板３８の非蝶番側の上面に、両扉板３８を重合した際に蝶番３７側の両扉板３８間に形成される高さ寸法と略同一の高さ寸法の突起を形成することで、扉の折り畳み時に両扉板３８を略平行としてもよいが、上述したように、両扉板３８に突起４５を備える構成とすることで、各扉板３８を共用することができ、生産コストを低減することができる。
【符号の説明】
【００５５】
Ｒ    冷却ユニット
１    ショーケース
２    機械室
３    陳列室
４    透明壁
６    断熱壁
７    下部パネル
９    天板（陳列室の上面）
１１    本体
１２    底板（陳列室の底面）
１３    前面開口
１４    後面開口
１５    前面扉（側面扉）
１６    後面扉（側面扉）
１８    圧縮機
１９    凝縮器
２０    凝縮器用送風機
２１    外気吸込口
２４    冷却室
２５    冷却用送風機
２７    冷気吹出口
２８    冷気吸込口
２９    仕切板
３２    棚
３５    上面扉
３６    上面開口
３６Ａ  段差部
３７    蝶番
３８    扉板
４１    透明板
４２    扉板枠
４３    扉側凹部
４４    本体側凹部
４５    突起
【図１】
0005873992.tif 000002
【図２】
0005873992.tif 000003
【図３】
0005873992.tif 000004
【図４】
0005873992.tif 000005
【図５】
0005873992.tif 000006
【図６】
0005873992.tif 000007